(57)【特許請求の範囲】
【請求項１】
釣竿の曲面状の外周面上に配置され、一色以上の色彩を有し径が異なる複数のドットが点在する集合体を複数用いて、
前記集合体毎に各ドットの密度を変化させ、且つ隣接する前記集合体との間隔を調整することにより、前記集合体の色の濃淡を表現して、所望配置による模様形成する装飾部を具備することを特徴とする釣竿。
【発明の詳細な説明】
【技術分野】
【０００１】
本発明は、曲面状の外周面に装飾が施された釣竿に関する。
【背景技術】
【０００２】
例えば瓶やコップのような円筒形や円錐形等の曲面に印刷する技術としてスクリーン印刷が知られている。そして、例えば特許文献１に開示されているように、釣竿の曲面状の外周面にスクリーン印刷が施されることがある。  
印刷の精密さ（より精緻な模様を形成できるかどうか）は、例えばドットの大きさによって決められる。釣竿におけるスクリーン印刷は、一般に、最小でも３０μｍ以上の大きさ（直径）のドットによって模様を形成する。そして、色の濃淡をドットの配置間隔およびドット自体の色を変え、様々な装飾を表現している。
【０００３】
なお、この明細書中におけるドットとは、顔料、染料を含む合成樹脂の流滴が微細な点状に釣竿の表面に付着して形成される、微細な点のことである。
【先行技術文献】
【特許文献】
【０００４】
【特許文献１】特開平５−１５３８８６号公報
【発明の概要】
【発明が解決しようとする課題】
【０００５】
スクリーン印刷で釣竿の曲面状の外周面に印刷を施したとき、版がメッシュ状で線数が粗いため、細かい文字や詳細写真、滑らかなグラデーションを施そうとする場合などは再現性がやや劣る。すなわち、スクリーン印刷では、滑らかな曲線を描きたい部位において、肉眼で一目見ただけで確認できるようなギザギザ状の部分が存在するような仕上がりとなることがある。
【０００６】
しかしながら、釣竿の外観が、このような一目見ただけでギザギザ状の部分が存在するような仕上がりでは需要者の購買力を喚起することは難しく、より多くの需要者の購買力を喚起するには、より精緻な印刷を行う必要がある。  
一方、釣竿への高精度の装飾には、例えばシールが用いられる。装飾にシールが用いられると、装飾を形成する際に皺が入ったり、釣竿自体がシールの重量により重くなったり、シールの耐久性によっては釣竿の使用中や使用後などにシールが剥がれたりするなどの問題がある。
【０００７】
この発明は、このような課題を解決するためになされたものであり、その目的とするところは、より高精度の装飾外観を施した釣竿を提供することにある。
【課題を解決するための手段】
【０００８】
上記目的を達成するために、本発明に従う実施形態に係る釣竿は、釣竿の曲面状の外周面上に配置され、一色以上の色彩を有し径が異なる複数のドットが点在する集合体を複数用いて、前記集合体毎に各ドットの密度を変化させ、且つ隣接する前記集合体との間隔を調整することにより、前記集合体の色の濃淡を表現して、所望配置による模様形成する装飾部を具備する。
【発明の効果】
【０００９】
本発明によれば、ドットの集合体の中に大きさや色が異なる小さなドットが点在しているので、１つのドットの集合体で色の濃淡、色調等を任意に設定することができるとともに、ドット集合体の配置を設定することにより、外観の濃淡等を簡単に調整可能な釣竿を提供することができる。
【図面の簡単な説明】
【００１０】
【図１】図１は、本発明の一実施の形態に係る釣竿に施した装飾部を示す概略図である。
【図２】図２は、一実施の形態に係る釣竿に施した装飾部のうち図１に示す符号ＩＩに示す部分の概略的な拡大図である。
【図３】図３は、一実施の形態に係る釣竿に施した装飾部のうち図２に示す符号ＩＩＩに示す部分の概略的な拡大図である。
【図４】図４は、一実施の形態に係る釣竿に施した装飾部のうち図３に示す符号ＩＶに示す部分の概略的な拡大図である。
【発明を実施するための形態】
【００１１】
以下、図１から図４を参照しながらこの発明を実施するための最良の形態について説明する。  
図１には、中空または中実の釣竿１０の曲面状の外周面に印刷により例えば文字「Ａ」が装飾として施されている例を示す。図２には、図１中の符号ＩＩで示す部分を拡大して示す。また、図３には、図２中の符号ＩＩＩで示す部分を拡大して示す。さらに、図４には、図３中の符号ＩＶで示す部分を拡大して示す。
【００１２】
以下、曲面状である釣竿１０の外周面に施された図１中の文字「Ａ」を釣竿１０の装飾部１２と称することとする。なお、図面には明確に図示しないが、釣竿１０はテーパ状であることが一般的であり、先端側の方が基端側（後端側）よりも細く形成されている。  
図２から図４に示す装飾部１２は、コンピュータ制御により、無数のドットｄが集められたドットｄの集合体（以下、主として単に集合体と称する）αが多数集められて表現されている。なお、上述したように、ドットｄとは、顔料、染料を含む合成樹脂の流滴が微細な点状に釣竿の表面に付着して形成される、微細な点のことである。
【００１３】
図４に示すように、１つの集合体αは、無数の様々な大きさのドットｄを集合させることにより、任意の輪郭が形成されている。このため、ドットｄ同士が重ね合わせられることがあるのはもちろんである。この集合体αは、各ドットｄの色彩やドットｄ間距離、ドットｄの大きさ等、様々な手段により濃淡、色彩、色相、明度、彩度等を変更可能である。
【００１４】
なお、各ドットｄは、例えばインクジェット印刷や、パッドにインクジェットでインクを吹き付けた後、そのパッドを釣竿の外周面に転写するパッド印刷等により形成される。このため、例えば竿杆の外周に直接インクジェット印刷したり、間接的にパッド印刷することにより無数のドットｄで所望の模様が形成される。なお、印刷技術（印刷方法）はこれらに限らないことはもちろんであり、種々の方法を用いることができる。
【００１５】
ドットｄには、減法混合の三原色（通常、黄，マゼンタ，シアン、及び、黒または所望の色に調色されたインキ）が用いられる。そして、集合体αは、これらの色を組み合わせて種々の色が表現される。ドットｄを形成するインクは、釣竿１０に用いられることから耐水性、耐候性、耐溶剤性が要求されることはもちろんである。そして、図４に示す１つのドット（各ドット）ｄの大きさ（例えば直径）は、例えば２μｍ〜１５μｍ程度である。これは、釣竿に対するスクリーン印刷による１つのドットｄの一般的な最小の大きさである３０μｍ以上よりも小さい。さらに、上述したようにドットｄの大きさが例えば２μｍ〜１５μｍ程度である場合、肉眼でドットｄの縁部の形状を認識し難い。したがって、本実施形態の装飾部１２は、一般的なスクリーン印刷よりも、より緻密に滑らかな曲線や滑らかなグラデーションを表現できる。したがって、本実施形態の装飾部１２は、濃淡、色彩、色相、明度、彩度等をより細かく表現することができる。
【００１６】
図２から図４に示す１つのドットｄの集合体αの大きさ（例えば直径）は、例えば３０μｍ〜１５０μｍ程度であることが好ましい。そして、図２および図３に示すように、各集合体α同士の大きさは適宜に設定され、隣接する集合体αの大きさも適宜に設定可能であるが、集合部αの大きさは例えば３０μｍから１５０μｍ程度であることが好ましい。
【００１７】
そして、本実施形態では、図２および図３に示すように、各集合体αは、例えば所望の状態に配列（整列）させられている。このため、集合体αの大きさを適宜に設定することにより、集合体α同士の間隔を決めることができる。そして、例えば各集合体αのドットｄの密度が一定であると仮定すると、１つの集合体αの大きさが大きければ大きいほど隣接する集合体αの外縁部までの距離が短くなり、その集合体αの周囲の密度が高く（濃く）表わされ、１つの集合体αの大きさが小さければ小さいほど隣接する集合体αの外縁部までの距離が長くなりその集合体αの周囲の密度が低く（薄く）表される。なお、集合体α同士の間隔は、１５０μｍ以内であることが好ましい。
【００１８】
そして、図２および図３に示すように、例えば集合体αが大きく形成されているとともに密度が高く（濃く）形成されている場合、他の部分（例えば、大きさに比例して密度が低くなる集合体α）よりも印刷が濃い部分として表現できる。このように、隣接する集合体α同士の大きさやドットｄの密度によって、濃淡、色彩、色相、明度、彩度等を自在に表現することができる。
【００１９】
各集合体α中のドットｄの大きさ、密度、色彩等を変化させることにより、種々の模様を形成することができる。そして、ドットｄが集合すればするほど（より多数のドットｄが集合すればするほど）濃い色を表現することができ、空間（集合体α同士の間隔）があればあるほど薄い色を表現することができる。もちろん、ドットｄの密度は集合体αの大きさに左右されるものではなく、集合体α自体は大きく形成されているが、それよりも小さく形成された集合体αよりもドットｄの密度が低く形成されていても良い。また、図２および図３では、集合体αを所望の状態に配列した状態の例について説明したが、各集合体αがランダムに配置されていることも好ましい。また、釣竿１０の軸長方向に対してドットｄの集合体α同士の整列方向を適宜にずらす（整列方向に角度をつける）ことが好ましい。このようにすると、集合体α同士の空間によって生じる軸長方向に印刷が施されていない線状の部分（空白部分）が目立つのを防止することができる。
【００２０】
以上説明したように、例えば３０μｍ〜１５０μｍ程度の大きさのドットｄの集合体αによって濃淡、色彩、色相、明度、彩度等を表現することができるとともに、ドットｄの集合体αによっても濃淡、色彩、色相、明度、彩度等を表現することができる。このため、釣竿１０のような直径が数ｍｍから数ｃｍ程度のような管状の曲面に印刷する場合に、より精緻な曲線やグラデーションを表現することができる。
【００２１】
なお、本実施形態では装飾部１２として文字「Ａ」を印刷により施した場合について説明したが、装飾部１２は、例えば竹の節の形状、木の年輪、木目等、種々の形状や模様、色彩をドットの集合体として表現することができる。
【００２２】
また、集合体α同士を線（ドットｄが多数集められて形成された任意の幅の直線または曲線）で結ぶことによって、集合体α同士の間隔を目立たなくすることができ、その線により装飾効果を高めることができる。
【００２３】
また、本実施形態の釣竿１０に、上述したように例えば３０μｍ〜１５０μｍ程度などの大きさの細かいドットを用いて、文字「Ａ」の代わりに、他の記号や文字（例えばシリアルナンバー等）の印刷を行うことができる。この場合、釣竿１０の表面に模様を形成するだけでなく、模倣品か否かの判別に役立てることが可能である。
【００２４】
また、例えば薄い色の下地層（ドットの集合体αを多数組み合わせて模様等を形成した印刷面）を形成し、その上に上述した下地層よりも外層に濃い色の印刷（装飾）を施すことも好適である。このようにすると、下地層の色や模様の上に印刷をすることとなるので、外層から透ける下地層の色や模様を生かすことができるので、さらに色の濃淡を精緻に形成することができ、装飾の幅を広げることができる。
【００２５】
これまで、一実施形態について図面を参照しながら具体的に説明したが、この発明は、上述した実施の形態に限定されるものではなく、その要旨を逸脱しない範囲で行なわれるすべての実施を含む。
【符号の説明】
【００２６】
１０…釣竿、１２…装飾部、α…集合体、ｄ…ドット。
【図１】
0005514892.tif 000002
【図２】
0005514892.tif 000003
【図３】
0005514892.tif 000004
【図４】
0005514892.tif 000005